(57)【要約】【課題】  下地および文字色が単色の背景にカラー画像がある場合に最も効果的な高圧縮方式を提供。複雑なレイアウト＆色使いの原稿の場合でも、効果的な高圧縮方式を提供。【解決手段】  元画像を表す画像データから、単色背景の単色文字領域Ｃと異なるカラー画像領域Ｄ，Ａ，Ｂを分離するカラー領域分離手段４０２〜４０４と、カラー画像領域の画像データを、カラー画像用の圧縮方式（JPEG又はJPEG2000,deflate）で圧縮するカラー領域圧縮手段ｅ，ｋと、元画像を表す画像データの前記カラー画像領域の画像を消去するカラー画像消去手段ｗと、元画像を表す画像データから前記カラー画像領域の画像を消去した画像データを、単色文字画像用の圧縮方式（MMR又はJBIG,JBIG2）で圧縮する単色文字圧縮手段ｋ，ｘ)と、カラー画像領域および単色文字領域の圧縮データを、元画像を復元するファイルに格納する圧縮データ格納手段ｔ，ｙと、を備える。【選択図】  図６
2008288912.tif 000002
【特許請求の範囲】
【請求項１】
元画像を表す画像データから、単色背景の単色文字領域と異なるカラー画像領域を分離するカラー領域分離手段と、
前記カラー画像領域の画像データを、カラー画像用の圧縮方式で圧縮するカラー領域圧縮手段と、
元画像を表す画像データの前記カラー画像領域の画像を消去するカラー画像消去手段と、
元画像を表す画像データから前記カラー画像領域の画像を消去した画像データを、単色文字画像用の圧縮方式で圧縮する単色文字圧縮手段と、
前記カラー画像領域の圧縮データと前記単色文字圧縮データを、元画像を復元するファイルに格納する圧縮データ格納手段と、
を具備することを特徴とする画像処理装置。
【請求項２】
元画像を表す画像データから、単色背景の単色文字領域と異なるカラー画像領域を分離するカラー領域分離手段と、
前記カラー画像領域内の文字部および文字色数を検出する文字部検出手段と、
前記文字色数が設定値以下の場合は、前記カラー画像領域の背景をカラー画像用の圧縮方式で圧縮し文字部を少色文字用の圧縮方式で圧縮して前記カラー画像領域の画像を復元するカラー領域圧縮データに編成し、前記文字色数が設定値を超える場合は、前記カラー画像領域の背景をカラー画像用の圧縮方式で圧縮し文字部を文字マスクと文字色に分離して圧縮してカラー領域圧縮データに編成し、文字が検出されない場合は、前記カラー画像領域をカラー画像用の圧縮方式で圧縮してカラー領域圧縮データを生成する、カラー領域圧縮手段と、
元画像を表す画像データの前記カラー画像領域の画像を消去するカラー画像消去手段と、
元画像を表す画像データから前記カラー画像領域の画像を消去した画像データを、単色文字画像用の圧縮方式で圧縮する単色文字圧縮手段と、
前記カラー領域圧縮データと前記単色文字圧縮データを、元画像を復元するファイルに格納する圧縮データ編成手段と、
を具備することを特徴とする画像処理装置。
【請求項３】
元画像を表す画像データから、背景色の色及び濃度分布を検出し、背景色が単色安定か多色不安定か識別し多色不安定であると文字抽出を行い文字少色数か文字多色数か識別する特徴識別手段と、
元画像上のカラー画像領域および該領域内の文字部および文字色数を検出する文字部検出手段と、
前記単色安定の場合は、元画像を表す画像データから、単色背景の単色文字領域と異なる文字色数が設定値以下の第１カラー画像領域，文字色数が設定値を超える第２カラー画像領域および文字が検出されない第３カラー画像領域を分離し、前記文字少色数の場合は、元画像を表す画像データから、単色背景の単色文字領域，第２カラー画像領域および第３カラー画像領域を分離し、前記文字多色数の場合は、元画像を表す画像データから、単色背景の単色文字領域，第１カラー画像領域，および第３カラー画像領域を分離する、カラー領域分離手段と、
第１カラー画像領域は、該領域の背景をカラー画像用の圧縮方式で圧縮し文字部を少色文字用の圧縮方式で圧縮して該カラー画像領域の画像を復元するカラー領域圧縮データに編成し、第２カラー画像領域は、該カラー画像領域の背景をカラー画像用の圧縮方式で圧縮し文字部を文字マスクと文字色に分離して圧縮してカラー領域圧縮データに編成し、第３カラー画像領域は、該カラー画像領域をカラー画像用の圧縮方式で圧縮してカラー領域圧縮データを生成する、カラー領域圧縮手段と、
前記単色背景の単色文字領域は、単色文字画像用の圧縮方式で圧縮する単色文字圧縮手段と、
前記カラー領域圧縮データと前記単色文字領域圧縮データを、元画像を復元するファイルに格納する圧縮データ格納手段と、
を具備することを特徴とする画像処理装置。
【請求項４】
元画像の基準背景を、単色背景の単色文字画像，文字色数が設定値以下の第１カラー画像，文字色数が設定値を超える第２カラー画像、又は、文字が検出されない第３カラー画像と、ユーザが指定し、基準背景に指定しなかった各画像種の領域をユーザが指定するための領域指定入力手段と、
前記単色背景の単色文字画像と指定された領域は、単色文字画像用の圧縮方式で圧縮し、第１カラー画像と指定された領域は、該領域の背景をカラー画像用の圧縮方式で圧縮し文字部を少色文字用の圧縮方式で圧縮して該カラー画像領域の画像を復元するカラー領域圧縮データに編成し、第２カラー画像と指定された領域は、該カラー画像領域の背景をカラー画像用の圧縮方式で圧縮し文字部を文字マスクと文字色に分離して圧縮してカラー領域圧縮データに編成し、第３カラー画像と指定された領域は、該カラー画像領域をカラー画像用の圧縮方式で圧縮してカラー領域圧縮データを生成する、領域圧縮手段と、
前記圧縮データを、元画像を復元するファイルに格納する圧縮データ格納手段と、
を具備する、請求項１乃至３のいずれか１つに記載の画像処理装置。
【請求項５】
元画像の、単色背景の単色文字領域と異なるカラー画像領域をユーザが指定するための領域指定入力手段と、
前記指定があったカラー画像領域の画像データを、カラー画像用の圧縮方式で圧縮するカラー領域圧縮手段と、
元画像を表す画像データの前記カラー画像領域の画像を消去するカラー画像消去手段と、
前記カラー画像領域の画像を消去した画像データを、単色文字画像用の圧縮方式で圧縮する単色文字圧縮手段と、
前記カラー画像領域の圧縮データと前記単色文字圧縮データを、元画像を復元するファイルに格納する圧縮データ格納手段と、
を具備することを特徴とする画像処理装置。
【請求項６】
元画像の、単色背景の単色文字領域と異なるカラー画像領域をユーザが指定するための領域指定入力手段と、
前記指定があったカラー画像領域内の文字部および文字色数を検出する文字部検出手段と、
前記文字色数が設定値以下の場合は、前記カラー画像領域の背景をカラー画像用の圧縮方式で圧縮し文字部を少色文字用の圧縮方式で圧縮して前記カラー画像領域の画像を復元するカラー領域圧縮データに編成し、前記文字色数が設定値を超える場合は、前記カラー画像領域の背景をカラー画像用の圧縮方式で圧縮し文字部を文字マスクと文字色に分離して圧縮してカラー領域圧縮データに編成し、文字が検出されない場合は、前記カラー画像領域をカラー画像用の圧縮方式で圧縮してカラー領域圧縮データを生成する、カラー領域圧縮手段と、
元画像を表す画像データの前記カラー画像領域の画像を消去するカラー画像消去手段と、
前記カラー画像領域の画像を消去した画像データを、単色文字背景画像用の圧縮方式で圧縮する背景画像圧縮手段と、
前記カラー領域圧縮データと前記単色文字背景画像の圧縮データを、元画像を復元するファイルに格納する圧縮データ格納手段と、
を具備することを特徴とする画像処理装置。
【請求項７】
元画像の基準背景を、単色背景の単色文字画像，文字色数が設定値以下の第１カラー画像，文字色数が設定値を超える第２カラー画像、又は、文字が検出されない第３カラー画像と、ユーザが指定するための領域指定入力手段と、
元画像上のカラー画像領域および該領域内の文字部および文字色数を検出する文字部検出手段と、
前記指定が単色背景の単色文字画像の場合は、元画像を表す画像データから、単色背景の単色文字領域と異なる文字色数が設定値以下の第１カラー画像領域，文字色数が設定値を超える第２カラー画像領域および文字が検出されない第３カラー画像領域を分離し、前記指定が第１カラー画像の場合は、元画像を表す画像データから、単色背景の単色文字領域，第２カラー画像領域および第３カラー画像領域を分離し、前記指定が第２カラー画像の場合は、元画像を表す画像データから、単色背景の単色文字領域，第１カラー画像領域，および第３カラー画像領域を分離する、カラー領域分離手段と、
第１カラー画像領域は、該領域の背景をカラー画像用の圧縮方式で圧縮し文字部を少色文字用の圧縮方式で圧縮して該カラー画像領域の画像を復元するカラー領域圧縮データに編成し、第２カラー画像領域は、該カラー画像領域の背景をカラー画像用の圧縮方式で圧縮し文字部を文字マスクと文字色に分離して圧縮してカラー領域圧縮データに編成し、第３カラー画像領域は、該カラー画像領域をカラー画像用の圧縮方式で圧縮してカラー領域圧縮データを生成する、カラー領域圧縮手段と、
前記単色背景の単色文字領域は、単色文字画像用の圧縮方式で圧縮する単色文字圧縮手段と、
前記カラー領域圧縮データと前記単色文字領域圧縮データを、元画像を復元するファイルに格納する圧縮データ格納手段と、
を具備することを特徴とする画像処理装置。
【請求項８】
前記カラー領域圧縮手段は、前記カラー画像領域の画像データを、解像度を１／ｎ、ｎ＞１、に落としてカラー画像用の圧縮方式で圧縮する、請求項１乃至７のいずれか１つに記載の画像処理装置。
【請求項９】
元画像の画像データを入力する手段と、
圧縮データを格納したファイルを外部に送信する手段と、
を更に備える、請求項１乃至８のいずれか１つに記載の画像処理装置。
【請求項１０】
元画像の画像データを入力する手段と、
生成されたファイルを蓄積保持する記憶手段と、
を更に備える、請求項１乃至８のいずれか１つに記載の画像処理装置。
【請求項１１】
元画像の画像データを入力する手段と、
入力された元画像の画像データを圧縮する、請求項１，２，５又は６に記載の画像処理装置と、
生成されたファイルを蓄積保持する記憶手段と、
該記憶手段のファイルの単色文字圧縮データを前記カラー画像領域の画像を消去した画像データに伸張する背景画像伸張手段と、
前記ファイルのカラー画像領域の圧縮データを画像データに伸張するカラー領域伸張手段と、
伸張した画像データを元画像を表す画像データに合成する画像データ合成手段と、
前記合成した画像データを、記録用画像データに変換する手段と、
前記記録用画像データに基づいて用紙上に画像を形成する作像手段と、
を備える画像形成装置。
【請求項１２】
元画像を表す画像データから、単色背景の単色文字領域と異なるカラー画像領域を分離し、前記カラー画像領域の画像データをカラー画像用の圧縮方式で圧縮し、前記入力された画像データの前記カラー画像領域の画像を消去し、前記カラー画像領域の画像を消去した画像データを、単色文字背景画像用の圧縮方式で圧縮し、前記カラー画像領域の圧縮データと前記単色文字背景画像の圧縮データを、元画像を復元するように格納したファイルの、単色文字背景画像の圧縮データを前記カラー画像領域の画像を消去した画像データに伸張する背景画像伸張手段と、
前記ファイルの、カラー画像領域の圧縮データを画像データに伸張するカラー領域伸張手段と、
伸張した画像データを元画像を表す画像データに合成する画像データ合成手段と、
を備えることを特徴とする画像処理装置。
【請求項１３】
前記ファイルの前記カラー画像領域の圧縮データは、前記カラー画像領域の画像データを、解像度を１／ｎ、ｎ＞１、に落としてカラー画像用の圧縮方式で圧縮したものである、請求項１１に記載の画像処理装置。
【請求項１４】
外部から前記ファイルを受信する手段と、
受信したファイルから元画像を表す画像データを合成する請求項１２に記載の画像処理装置と、
前記合成した画像データを、記録用画像データに変換する手段と、
前記記録用画像データに基づいて用紙上に画像を形成する作像手段と、
を備える画像形成装置。
【発明の詳細な説明】
【技術分野】
【０００１】
本発明は、スキャナー，デジカメなどの画像入力装置で撮影された文書画像、ならびに文章と写真が組み合わさった合成画像など、特にカラー画像が組み込まれた文書画像を高圧縮率で圧縮し或いは伸張する画像処理装置およびそれを用いる画像形成装置に関するものである。
【背景技術】
【０００２】
【特許文献１】特許第３５９６４２３号公報
【特許文献２】特開２００２−３６９０１１号公報
【特許文献３】特開２００４−３５０１５８号公報
【特許文献４】特開２００６−３３３１７５号公報
【特許文献５】特開２００７−  ８９１３６号公報。
【０００３】
カラーまたは多色の紙原稿をスキャンした画像は膨大なデータ量になるため、背景写真部／前景文字部に分離しそれぞれの特徴にあわせた画像処理を行い圧縮するＭＲＣ（Mixed Raster Content）技術により高圧縮化しファイル保存することがポピュラーになってきた。いわゆる高圧縮ＰＤＦやクリアライトＰＤＦと呼ばれるものである。
【発明の開示】
【発明が解決しようとする課題】
【０００４】
この高圧縮技術を用いた文書の画質やファイルサイズを決定づける要因は、いかに精度良く背景写真部／前景文字部を分離できるかポイントとなる。しかし、実際にはレイアウトや色使いが複雑な原稿や文字にグラデーションがかかっていたり文字／背景色が安定しない原稿に対しては、誤認識することが多くその結果、期待の画質が得られなかったり、期待ほどファイルサイズを抑制できないなどの原因となる場合が多い。
【０００５】
また、どのような原稿にも適用できるようにカラー背景にカラー文字を前提とした方式であるため、一般的なビジネス文書のように白地に黒文字がベースで一部にカラー写真やカラー図が入るようなケースでは、一部だけカラーの原稿にもかかわらず全体をカラー処理するため、ファイルサイズは増大する傾向にある。クリアライトＰＤＦに代表される高圧縮文書保存方式は、高い圧縮率と読みやすい文書画質の両立が要求される。
【０００６】
本発明は、下地およびほとんどの文字色が単色の背景にカラー画像がある場合に最も効果的な高圧縮方式を提供することを第１の目的とする。この方式は、基本的に白地に黒文字で一部カラー写真や図が入るようなビジネス文書において有効である。旅行パンフレットや製品パンフレットなど複雑なレイアウト＆色使いの原稿の場合でも、効果的な高圧縮方式を提供することを第２の目的とする。
【課題を解決するための手段】
【０００７】
（１）元画像を表す画像データから、単色背景の単色文字領域（Ｃ）と異なるカラー画像領域（Ｄ，Ａ，Ｂ）を分離するカラー領域分離手段(402〜404,s)と、
前記カラー画像領域の画像データを、カラー画像用の圧縮方式（JPEG又はJPEG2000,deflate）で圧縮するカラー領域圧縮手段(図８のｅ，ｋ)と、
元画像を表す画像データの前記カラー画像領域の画像を消去するカラー画像消去手段(w)と、
元画像を表す画像データから前記カラー画像領域の画像を消去した画像データを、単色文字画像用の圧縮方式（MMR又はJBIG,JBIG2）で圧縮する単色文字圧縮手段(図８のk,x)と、
前記カラー画像領域の圧縮データと前記単色文字圧縮データを、元画像を復元するファイルに格納する圧縮データ格納手段(図８のt,y)と、
を具備することを特徴とする画像処理装置。
【０００８】
なお、理解を容易にするために括弧内には、図面に示し後述する実施例の対応又は相当要素の符号もしくは対応又は相当事項を、例示として参考までに付記した。以下も同様である。
【発明の効果】
【０００９】
この画像処理装置は、白地に黒文字、黄色時に青文字など背景／前景を２色で表現できる原稿、例えば、工事報告書や事故報告書のように白黒文字原稿の一部にカラー写真を埋め込んだような原稿画像の高圧縮に最適である。基本的に背景写真部／前景文字部の分離を必要としないため誤動作を最小限にすることができる。合成表示時に透過やマスク処理が必要でなく表示プログラムが簡素で高速化できる。基本的にマスクや透過処理が必要なく単純な重ね合わせにより実現できるため表示ビューアーの処理が単純ですむことであり、一般的なビジネス文書である白地に黒文字の原稿では従来方式よりも圧縮率が向上する。
【００１０】
さらに、カラー画像領域に従来の高圧縮方式を採用することにより、カラー画像領域上のカラー文字を画質良く表現することも可能である。従来方式（たとえば後述の方式Ａ，方式Ｂ）との違いは、原稿全体をカラー領域として処理するわけではないため、文字分離の精度がそれほど重要視されないことである。文章中の文字と異なり、カラー写真，カラー図面上の文字は、写真又は図形の一部とみなされそれほどくっきりしていなくても許され易い。
【発明を実施するための最良の形態】
【００１１】
（２）元画像を表す画像データから、単色背景の単色文字領域（Ｃ）と異なるカラー画像領域を分離するカラー領域分離手段(402〜404,s)と、
前記カラー画像領域内の文字部および文字色数を検出する文字部検出手段(図８のｓ〜ｈ)と、
前記文字色数が設定値以下の場合（Ａ）は、前記カラー画像領域の背景をカラー画像用の圧縮方式(JPEG)で圧縮し文字部を少色文字用の圧縮方式(deflateまたはMMR×色数）で圧縮して(図８の方式Ａ)前記カラー画像領域の画像を復元するカラー領域圧縮データに編成し(図８の方式Ａ)、前記文字色数が設定値を超える場合（Ｂ）は、前記カラー画像領域の背景をカラー画像用の圧縮方式(JPEG)で圧縮し文字部を文字マスク(MMR)と文字色(JPEG)に分離して圧縮してカラー領域圧縮データに編成し(図８の方式Ｂ)、文字が検出されない場合（Ｄ）は、前記カラー画像領域をカラー画像用の圧縮方式(JPEG)で圧縮してカラー領域圧縮データを生成する（図８の方式Ｄ)、カラー領域圧縮手段(図８)と、
元画像を表す画像データの前記カラー画像領域の画像を消去するカラー画像消去手段(w)と、
元画像を表す画像データから前記カラー画像領域の画像を消去した画像データを、単色文字画像用の圧縮方式（MMR又はJBIG,JBIG2）で圧縮する単色文字圧縮手段(k,x)と、
前記カラー領域圧縮データと前記単色文字圧縮データを、元画像を復元するファイルに格納する圧縮データ格納手段(t,y)と、
を具備することを特徴とする画像処理装置。
【００１２】
これによれば、カラー画像領域の画像が更に詳しく識別されて、適した圧縮方式で圧縮される。例えば、
・文字色が少ない場合（方式Ａ）＝背景（JPEG）＋文字（deflateまたはMMR×色数）
・文字色が多い場合（方式Ｂ）＝背景（JPEG）＋文字マスク（MMR）＋文字色（JPEG）
・文字がほとんど検出されない場合（方式Ｄ）＝単純画像(JPEGまたはdeflate）
カラー画像領域ではない背景領域（方式Ｃ）＝単色文字＆単色背景(MMR)。
【００１３】
方式Ａは、文字の表現色数に制限があるが、文字色数が極端に少ない場合には、方式Ｂよりもサイズ抑制できる。方式Ｂは、文字色をフルカラーで表現でき、文字色が多い場合には効果的である。カラー画像種別に適した圧縮方式で圧縮するので、高品質，高圧縮の圧縮データファイルを生成できる。
【００１４】
（３）元画像を表す画像データから、背景色の色及び濃度分布を検出し、背景色が単色安定（Ｃ）か多色不安定か識別し多色不安定であると文字抽出を行い文字少色数（Ａ）か文字多色数（Ｂ）か識別する特徴識別手段（図６のb,h)と、
元画像上のカラー画像領域および該領域内の文字部および文字色数を検出する文字部検出手段(h)と、
前記単色安定（Ｃ）の場合は、元画像を表す画像データから、単色背景の単色文字領域（Ｃ）と異なる文字色数が設定値以下の第１カラー画像領域（Ａ），文字色数が設定値を超える第２カラー画像領域（Ｂ）および文字が検出されない第３カラー画像領域（Ｄ）を分離し（図６）、前記文字少色数（Ａ）の場合は、元画像を表す画像データから、単色背景の単色文字領域（Ｃ），第２カラー画像領域（Ｂ）および第３カラー画像領域（Ｄ）を分離し、前記文字多色数（Ｂ）の場合は、元画像を表す画像データから、単色背景の単色文字領域（Ｃ），第１カラー画像領域（Ａ），および第３カラー画像領域（Ｄ）を分離する、カラー領域分離手段（図６のb,h)と、
第１カラー画像領域（Ａ）は、該領域の背景をカラー画像用の圧縮方式(JPEG)で圧縮し文字部を少色文字用の圧縮方式(deflateまたはMMR×色数）で圧縮して該カラー画像領域の画像を復元するカラー領域圧縮データに格納し（図６の方式Ａ）、第２カラー画像領域（Ｂ）は、該カラー画像領域の背景をカラー画像用の圧縮方式(JPEG)で圧縮し文字部を文字マスク(MMR)と文字色(JPEG)に分離して圧縮してカラー領域圧縮データに格納し（図６の方式Ｂ）、第３カラー画像領域（Ｄ）は、該カラー画像領域をカラー画像用の圧縮方式(JPEG)で圧縮してカラー領域圧縮データを生成する（図６の方式Ｄ）、カラー領域圧縮手段（図６）と、
前記単色背景の単色文字領域（Ｃ）は、単色文字画像用の圧縮方式（MMR又はJBIG,JBIG2）で圧縮する単色文字圧縮手段（図６のk,x）と、
前記カラー領域圧縮データと前記単色文字領域圧縮データを、元画像を復元するファイルに格納する圧縮データ格納手段(y)と、
を具備することを特徴とする画像処理装置。
【００１５】
背景の画像種を、単色背景の単色文字領域（Ｃ）と予め定めておくことなく、自動検出して、検出した画像種とは異なる異種画像領域を分離して、異種画像領域をそれに適した圧縮方式で圧縮し、背景の画像種もそれに適した圧縮方式で圧縮するので、高品質，高圧縮の圧縮データファイルを生成できる。あらゆる原稿を適切な状態で高圧縮ファイル化できる。各種方式が複雑に重なり合うことにより、表示処理の負荷の増大などが懸念されるが、実際には、小さな領域単位の処理となるため、それほどシステムに負荷を与えることなく処理可能である。
【００１６】
（４）元画像の基準背景を、単色背景の単色文字画像（Ｃ），文字色数が設定値以下の第１カラー画像（Ａ），文字色数が設定値を超える第２カラー画像（Ｂ）、又は、文字が検出されない第３カラー画像（Ｄ）と、ユーザが指定し、基準背景に指定しなかった各画像種の領域をユーザが指定するための領域指定入力手段と、
前記単色背景の単色文字画像と指定された領域（Ｃ）は、単色文字画像用の圧縮方式で圧縮し、第１カラー画像と指定された領域（Ａ）は、該領域の背景をカラー画像用の圧縮方式で圧縮し文字部を少色文字用の圧縮方式で圧縮して該カラー画像領域の画像を復元するカラー領域圧縮データに格納し、第２カラー画像と指定された領域（Ｂ）は、該カラー画像領域の背景をカラー画像用の圧縮方式で圧縮し文字部を文字マスクと文字色に分離して圧縮してカラー領域圧縮データに格納し、第３カラー画像と指定された領域（Ｄ）は、該カラー画像領域をカラー画像用の圧縮方式で圧縮してカラー領域圧縮データを生成する、領域圧縮手段と、
前記圧縮データを、元画像を復元するファイルに格納する圧縮データ格納手段（ｙ）と、
を具備する、請求項１乃至３のいずれか１つに記載の画像処理装置。
【００１７】
ユーザが背景の画像種と、背景内の他の画像種領域を指定し、背景のみならず指定した画像種領域のそれぞれにつき、それに適した圧縮方式で圧縮するので、高品質，高圧縮データに変換できる。
【００１８】
（５）元画像の、単色背景の単色文字領域（Ｃ）と異なるカラー画像領域をユーザが指定するための領域指定入力手段(11:図６１)と、
前記指定があったカラー画像領域の画像データを、カラー画像用の圧縮方式（JPEG又はJPEG2000,deflate）で圧縮するカラー領域圧縮手段(図８のｅ，ｋ)と、
元画像を表す画像データの前記カラー画像領域の画像を消去するカラー画像消去手段(w)と、
前記カラー画像領域の画像を消去した画像データを、単色文字画像用の圧縮方式（MMR又はJBIG,JBIG2）で圧縮する単色文字圧縮手段(図８のk,x)と、
前記カラー画像領域の圧縮データと前記単色文字圧縮データを、元画像を復元するファイルに格納する圧縮データ格納手段(図８のt,y)と、
を具備することを特徴とする画像処理装置。
【００１９】
方式Ｃを利用して、カラー保存させる部分すなわちカラー画像領域をユーザー指定させるようにすることによりユーザーの希望通りの高品質，高圧縮データに変換できる。全面カラーの原稿の場合でも、どうしても必要な部分だけをカラーで表現し、他の重要でない部分は敢えて白黒表現（方式Ｃ）で保存することでファイルサイズを抑制するなどといった割切った使い方も可能である。
【００２０】
（６）元画像の、単色背景の単色文字領域（Ｃ）と異なるカラー画像領域をユーザが指定するための領域指定入力手段(11:図５)と、
前記指定があったカラー画像領域内の文字部および文字色数を検出する文字部検出手段(図８のｓ〜h)と、
前記文字色数が設定値以下の場合（Ａ）は、前記カラー画像領域の背景をカラー画像用の圧縮方式(JPEG)で圧縮し文字部を少色文字用の圧縮方式(deflateまたはMMR×色数）で圧縮して前記カラー画像領域の画像を復元するカラー領域圧縮データに格納し（図８の方式Ａ）、前記文字色数が設定値を超える場合（Ｂ）は、前記カラー画像領域の背景をカラー画像用の圧縮方式(JPEG)で圧縮し文字部を文字マスク(MMR)と文字色(JPEG)に分離して圧縮してカラー領域圧縮データに格納し（図８の方式Ｂ）、文字が検出されない場合（Ｄ）は、前記カラー画像領域をカラー画像用の圧縮方式(JPEG)で圧縮してカラー領域圧縮データを生成する（図８の方式Ｄ）、カラー領域圧縮手段（図８）と、
元画像を表す画像データの前記カラー画像領域の画像を消去するカラー画像消去手段(w)と、
前記カラー画像領域の画像を消去した画像データを、単色文字背景画像用の圧縮方式（MMR又はJBIG,JBIG2）で圧縮する背景画像圧縮手段(k,x)と、
前記カラー領域圧縮データと前記単色文字背景画像の圧縮データを、元画像を復元するファイルに格納する圧縮データ格納手段(t,y)と、
を具備することを特徴とする画像処理装置。
【００２１】
ユーザが指定したカラー画像領域の画像種を検出してそれに適した圧縮方式で圧縮するので、更に高品質，高圧縮データに変換できる。
【００２２】
（７）元画像の基準背景を、単色背景の単色文字画像（Ｃ），文字色数が設定値以下の第１カラー画像（Ａ），文字色数が設定値を超える第２カラー画像（Ｂ）、又は、文字が検出されない第３カラー画像（Ｄ）と、ユーザが指定するための領域指定入力手段(11:図６0)と、
元画像上のカラー画像領域および該領域内の文字部および文字色数を検出する文字部検出手段(図６のｂ〜ｈ)と、
前記指定が単色背景の単色文字画像（Ｃ）の場合は、元画像を表す画像データから、単色背景の単色文字領域（Ｃ）と異なる文字色数が設定値以下の第１カラー画像領域（Ａ），文字色数が設定値を超える第２カラー画像領域（Ｂ）および文字が検出されない第３カラー画像領域（Ｄ）を分離し、前記指定が第１カラー画像（Ａ）の場合は、元画像を表す画像データから、単色背景の単色文字領域（Ｃ），第２カラー画像領域（Ｂ）および第３カラー画像領域（Ｄ）を分離し、前記指定が第２カラー画像（Ｂ）の場合は、元画像を表す画像データから、単色背景の単色文字領域（Ｃ），第１カラー画像領域（Ａ），および第３カラー画像領域（Ｄ）を分離する、カラー領域分離手段(図６のｂ，ｈ)と、
第１カラー画像領域（Ａ）は、該領域の背景をカラー画像用の圧縮方式(JPEG)で圧縮し文字部を少色文字用の圧縮方式(deflateまたはMMR×色数）で圧縮して該カラー画像領域の画像を復元するカラー領域圧縮データに格納し（図６の方式Ａ）、第２カラー画像領域（Ｂ）は、該カラー画像領域の背景をカラー画像用の圧縮方式(JPEG)で圧縮し文字部を文字マスク(MMR)と文字色(JPEG)に分離して圧縮してカラー領域圧縮データに格納し（図６の方式Ｂ）、第３カラー画像領域（Ｄ）は、該カラー画像領域をカラー画像用の圧縮方式(JPEG)で圧縮してカラー領域圧縮データを生成する（図６の方式Ｄ）、カラー領域圧縮手段と、
前記単色背景の単色文字領域（Ｃ）は、単色文字画像用の圧縮方式（MMR又はJBIG,JBIG2）で圧縮する単色文字圧縮手段（図６のｋ，ｘ）と、
前記カラー領域圧縮データと前記単色文字領域圧縮データを、元画像を復元するファイルに格納する圧縮データ格納手段（ｙ）と、
を具備することを特徴とする画像処理装置。
【００２３】
（８）前記カラー領域圧縮手段は、前記カラー画像領域の画像データを、解像度を１／ｎ、ｎ＞１、に落としてカラー画像用の圧縮方式（JPEG又はJPEG2000,deflate）で圧縮する(f,o,r)；上記（１）乃至（７）のいずれか１つに記載の画像処理装置。
【００２４】
（９）元画像の画像データを入力する手段(100,400)と、
圧縮データを格納したファイルを外部に送信する手段(410〜415)と、
を更に備える、上記（１）乃至（８）のいずれか１つに記載の画像処理装置。
【００２５】
（１０）元画像の画像データを入力する手段(100,400)と、
生成されたファイルを蓄積保持する記憶手段(401)と、
を更に備える、上記（１）乃至（７）のいずれか１つに記載の画像処理装置。
【００２６】
（１１）元画像の画像データを入力する手段(100,400)と、
入力された元画像の画像データを圧縮する、上記（１），（２），（５）又は（６）に記載の画像処理装置と、
生成されたファイルを蓄積保持する記憶手段（401）と、
該記憶手段のファイルの単色文字圧縮データを前記カラー画像領域の画像を消去した画像データに伸張する背景画像伸張手段(404)と、
前記ファイルのカラー画像領域の圧縮データを画像データに伸張するカラー領域伸張手段(404)と、
伸張した画像データを元画像を表す画像データに合成する画像データ合成手段(404)と、
前記合成した画像データを、記録用画像データに変換する手段(304)と、
前記記録用画像データに基づいて用紙上に画像を形成する作像手段(200)と、
を備える画像形成装置(MF1)。
【００２７】
（１２）元画像を表す画像データから、単色背景の単色文字領域と異なるカラー画像領域を分離し、前記カラー画像領域の画像データをカラー画像用の圧縮方式（JPEG又はJPEG2000,deflate）で圧縮し、前記入力された画像データの前記カラー画像領域の画像を消去し、前記カラー画像領域の画像を消去した画像データを、単色文字背景画像用の圧縮方式（ＭＭＲ又はＪＢＩＧ，ＪＢＩＧ２）で圧縮し、前記カラー画像領域の圧縮データと前記単色文字背景画像の圧縮データを、元画像を復元するように格納したファイルの、単色文字背景画像の圧縮データを前記カラー画像領域の画像を消去した画像データに伸張する背景画像伸張手段(404)と、
前記ファイルの、カラー画像領域の圧縮データを画像データに伸張するカラー領域伸張手段(404)と、
伸張した画像データを元画像を表す画像データに合成する画像データ合成手段(404)と、
を備えることを特徴とする画像処理装置。
【００２８】
（１３）前記ファイルの前記カラー画像領域の圧縮データは、前記カラー画像領域の画像データを、解像度を１／ｎ、ｎ＞１、に落としてカラー画像用の圧縮方式（JPEG又はJPEG2000,deflate）で圧縮(f,o,r)したものである；上記（１１）に記載の画像処理装置。
【００２９】
（１３）外部から前記ファイルを受信する手段(410〜415)と、
受信したファイルから元画像を表す画像データを合成する上記（１２）に記載の画像処理装置と、
前記合成した画像データを、記録用画像データに変換する手段(304)と、
前記記録用画像データに基づいて用紙上に画像を形成する作像手段(200)と、
を備える画像形成装置(MF1)。
【００３０】
本発明の他の目的および特徴は、図面を参照した以下の実施例の説明より明らかになろう。
【実施例１】
【００３１】
図１に、本発明の第１実施例の、パソコンＰＣから印刷指示を受けるフルカラーデジタル複合機能複写機ＭＦ１の外観を示す。このフルカラー複写機ＭＦ１は、大略で、自動原稿送り装置（ＡＤＦ）１２０と、操作ボード１０と、カラースキャナ１００と、カラープリンタ２００の各ユニットで構成されている。なお、操作ボード１０と、ＡＤＦ１２０付きのカラースキャナ１００は、プリンタ２００から分離可能なユニットであり、カラースキャナ１００は、動力機器ドライバやセンサ入力およびコントローラを有する制御ボードを有して、エンジンコントローラ（ＣＰＵ３０１：図２）と直接または間接に通信を行いタイミング制御されて原稿画像の読取りを行う。
【００３２】
スキャナ１００，プリンタ２００および画像入出力装置（３０２：図２）を含むエンジン（３００：図２）ならびにパソコンＰＣを接続したコントローラボード（４００：図２）には、ＬＡＮ(Local Area Network)が接続されており、ファクシミリコントロールユニット（ＦＣＵ  ４１７：図２）には、電話回線ＰＮ（ファクシミリ通信回線）に接続された交換器ＰＢＸが接続されている。
【００３３】
図２に、図１の複合機能複写機ＭＦ１の画像処理システムの構成を示す。複合機能複写機ＭＦ１は、原稿画像読取りおよびカラー印刷を行うエンジン３００，コントローラボード４００および操作ボード１０を含む。エンジン３００は、画像読取りおよび印刷のプロセスを制御するＣＰＵ３０１，上述のカラースキャナ１００，上述のプリンタ２００、および、ＡＳＩＣ(Application Specific IC)で構成した画像入出力処理３０２を備えている。
【００３４】
スキャナ１００の読取りユニット１１０にはＣＰＵ，ＲＯＭおよびＲＡＭがあり、該ＣＰＵが該ＲＯＭに格納されたプログラムを該ＲＡＭに書き込んで実行する事で、スキャナ１００の全体の制御を行っている。また、プロセス制御用のＣＰＵ３０１と通信線を介して接続されおり、コマンド及びデータの送受信により指令された動作を行う。読取りユニット１１０内のＣＰＵは、フィラーセンサ（原稿検知センサ），基点センサ，圧板スイッチ，冷却ファン等の検知及びＯＮ／ＯＦＦの制御をする。読取りユニット１１０内において、スキャナモータドライバが、ＣＰＵからのＰＷＭ出力によりドライブされ励磁パルスシーケンスを発生し原稿走査駆動用のパルスモータを駆動する。
【００３５】
原稿画像は、ランプレギュレータによって通電されるハロゲンランプ１０２（図２）の光量出力により照明されて、原稿の反射光すなわち光信号は、複数ミラー１０３〜１０５及びレンズ１０６を通りＲ，ＧおよびＢ読取り用の３個のラインセンサを含むＣＣＤ１０７に結像される。３ラインＣＣＤ１０７は、各ＲＧＢの各画素のアナログの画像信号をＡＦＥ１１１に出力する。ＡＦＥ１１１は、画像信号を増幅し画像データにデジタル変換しそしてシェーディング補正する画像信号処理手段である。
【００３６】
コントローラボード４００は、ＣＰＵ４０２と、ＡＳＩＣで構成された書画蓄積制御４０３と、ハードディスク装置（以下ではＨＤＤと表記）４０１と、ローカルメモリ（ＭＥＭ−Ｃ）４０６と、システムメモリ（ＭＥＭ−Ｐ）４０９と、ノースブリッジ（以下、ＮＢと記す）４０８と、サウスブリッジ（以下、ＳＢと記す）４１５と、ＮＩＣ４１０(Network Interface Card)と、ＵＳＢデバイス４１１と、ＩＥＥＥ１３９４デバイス４１２と、セントロニクスデバイス４１３他を含む。操作ボード１０は、コントローラボード４００の書画蓄積制御４０３に接続されている。ファクシミリコントロールユニット（ＦＣＵ）４１７も、書画蓄積制御４０３にＰＣＩバスで接続されている。
【００３７】
ＣＰＵ４０２は、ＮＩＣ４１０を介してＬＡＮに接続されたパソコンあるいはインターネットを介する他のパソコンと書画情報の送受信を行うことができる。また、ＵＳＢ４１１，ＩＥＥＥ１３９４  ４１２，セントロニクス４１３を用いてパソコンＰＣ，プリンタ，デジタルカメラ等と通信することができる。
【００３８】
ＳＢ４１５と、ＮＩＣ４１０と、ＵＳＢデバイス４１１と、ＩＥＥＥ１３９４デバイス４１２と、セントロニクスデバイス４１３と、ＭＬＢ４１４は、ＮＢ４０８にＰＣＩバスで接続されている。このように、ＭＬＢ４１４は、エンジン３００にＰＣＩバスを介して接続する基板である。そして、ＭＬＢ４１４は、外部から入力された書画データをイメージデータ（画像データ）に変換し、変換された画像データをエンジン３００に出力する。
【００３９】
コントローラボード４００の書画蓄積制御４０３にローカルメモリ４０６、ＨＤＤ４０１などが接続されると共に、ＣＰＵ４０２と書画蓄積制御４０３とがＣＰＵチップセットのＮＢ４０８を介して接続されている。書画蓄積制御４０３とＮＢ４０８とは、ＡＧＰ(Accelerated Graphics Port)を介して接続されている。
【００４０】
ＣＰＵ４０２は、複合機能複写機ＭＦ１の全体制御を行うものである。ＮＢ４０８は、ＣＰＵ４０２、システムメモリ４０９、ＳＢ４１５および書画蓄積制御４０３を接続するためのブリッジである。システムメモリ４０９は、複合機能複写機ＭＦ１の描画用メモリなどとして用いるメモリである。ＳＢ４１５は、ＮＢ４０８とＰＣＩバス、周辺デバイスとを接続するためのブリッジであり、ＳＢ４１５には外付けＲＯＭおよびＳＤメモリカード（以下ではＳＤカード）の読み書きをするカードＩＦ４１８が接続されている。このカードＩＦ４１８には、ＳＤカード読み書き装置（カードリーダ）が接続されており、カードリーダに装着されるＳＤカードのデータを読み取ることができ、またＳＤカードにデータを書込むことができる。
【００４１】
ローカルメモリ４０６はコピー用画像バッファ、符号バッファとして用いるメモリである。ＨＤＤ４０１は、画像データの蓄積，文書データの蓄積，プログラムの蓄積，フォントデータの蓄積，フォームの蓄積，ＬＵＴ(Look Up Table)の蓄積などを行うためのメモリである。また、操作ボード１０は、ユーザーからの入力操作を受け付けると共に、ユーザーに向けた表示を行う操作部である。
【００４２】
図２には、スキャナ１００およびプリンタ２００と画像入出力処理３０２との間でやり取りする画像データの流れを示す。画像入出力処理３０２には、カラー原稿スキャナ１００が原稿画像を読み取って発生するＲ，Ｇ，Ｂ画像データのそれぞれに対して読取りγ補正，ＭＴＦ補正等を行うスキャナ画像処理３０３があり、また、Ｒ，Ｇ，Ｂ画像データをプリンタ２００の、Ｃ，Ｍ，Ｙ，Ｋ各色書込みの画像表現特性に合ったｃ，ｍ，ｙ，ｋ記録色データ（印刷データ）に変換するプリンタ画像処理３０４があり、更に、書画蓄積制御４０３に原稿読取り画像データＲＧＢを出力し、書画蓄積制御４０３が出力する画像データＲＧＢをプリンタ画像処理３０４に与える画像処理Ｉ／Ｆ(Interface circuit)３０５がある。
【００４３】
白黒コピーのときには、スキャナ画像処理３０３からＧ画象データが画像処理Ｉ／Ｆ３０５に出力され、画像処理Ｉ／Ｆ３０５がＧ画像データをプリンタ画像処理３０４に出力し、プリンタ画像処理３０４がＧ画像データをｋ記録色データに変換し、必要に応じて変倍，画像加工を、そしてプリンタγ変換および階調処理をして、プリンタ２００のＣ書込みユニット２１２に出力する。書込みユニット２１２は、画像処理３０４が出力するｋ記録色データによって、プリンタ２００の、静電潜像形成用の光学走査ユニットのレーザ発光ダイオードに通電する電流を変調又はオン，オフする。
【００４４】
カラーコピーのときは、スキャナ画像処理３０３が出力するＲＧＢ画像データが、画像処理Ｉ／Ｆ３０５および画像蓄積制御４０３を介して、ローカルメモリ４０６又はＨＤＤ４０１に一時蓄積又はＨＤＤ４０１に登録され、そして読み出されて、コピーまたは印刷に用いられ、あるいは外部に送出される。
【００４５】
プリンタ２００による登録画像データ、又は、外部から受信した画像データの印刷のときには、画像蓄積制御４０３および画像処理Ｉ／Ｆ３０５を介して画像データがプリンタ画像処理３０４に与えられる。プリンタ画像処理３０４は、画像データをｃｍｙｋ記録色データに変換してから、必要に応じて変倍，画像加工を、そしてプリンタγ変換および階調処理をして、書込みユニット２１２に出力する。
【００４６】
図３に示すように、操作ボード１０には、液晶タッチパネル１１のほかに、テンキー１５，クリア／ストップキー１６，スタートキー１７，初期設定キー１８，モード切換えキー１９，テスト印刷キー２０，電源キー２１がある。また、図示は省略したが、液晶タッチパネル１１の左側には、ＵＲＬ，メール文，ファイル名，フォルダ名等の入力，設定用ならびに短縮登録用の、平仮名を付記したアルファベットキーボードがある。
【００４７】
電源キー２１は、省エネモード（休止モード又は低電力モード）から画像印刷が可能なスタンバイモードに、またその逆への切換えを指示するための操作キーである。省エネモードが設定されている時に電源キー２１が一回押されると、省エネモードからスタンバイモードに切換る。スタンバイモードであるときに電源キー２１が一回押されると、スタンバイモードから休止モードに切換る。テスト印刷キー２０は、設定されている印刷部数に関わらず１部だけを印刷し、印刷結果を確認するためのキーである。
【００４８】
初期設定キー１８を押す事で、機械の初期状態を任意にカスタマイズする事が可能である。省エネモードへの移行時間を設定したり、機械が収納している用紙サイズを設定したり、コピー機能のリセットキーを押したときに設定される状態を任意に設定可能である。初期設定キ−１８が操作されると、各種初期値を設定するための「初期値設定」機能ならびに「ＩＤ設定」機能，「著作権登録／設定」機能および「使用実績の出力」機能等を指定するための選択ボタンが表示される。
【００４９】
液晶タッチパネル１１には、各種機能キーならびにエンジン３００およびコントローラボード４００の動作状態を示すメッセージなどが表示される。液晶タッチパネル１１には、「コピー」機能，「スキャナ」機能，「プリント」機能，「ファクシミリ」機能，「蓄積」機能，「編集」機能，「登録」機能およびその他の機能の選択用および実行中を表わす機能選択キー１４が表示される。機能選択キー１４で指定された機能に定まった入出力画面が表示され、例えば「複写」機能が指定されているときには、図３に示すように、機能キーならびに部数及び画像形成装置の状態を示すメッセージ１２，１３が表示される。機能キー１２の中には、印刷色指定キー「黒（ＢＫ）」，「フルカラー」，「自動色選択」，「青（Ｃ）」，「赤（Ｍ）」および「黄（Ｙ）」指定キーがある。オペレータが液晶タッチパネル１１に表示されたキーにタッチすると、操作ボード１０はオペレータ入力として読み込み、選択された機能を示すキーを、指定中を表す灰色に反転表示する。また、機能の詳細を指定しなければならない場合（例えばページ印字の種類等）はキーにタッチする事で詳細機能の設定画面がポップアップ表示される。このように、液晶タッチパネル１１は、ドット表示器を使用している為、その時の最適な表示をグラフィカルに行う事が可能である。
【００５０】
図４には、操作ボード１０の回路ブロックを示す。操作ボード１０の電気制御系の主体は、コントローラボード４００のＣＰＵ４０２とコミュニケーションし、操作ボード１０の入力を読取り、操作ボード１０上の表示を制御するＣＰＵ  １，このＣＰＵ  １の制御プログラムが格納されているＲＯＭ  ２，制御時にデータの一時格納等を行うためのＲＡＭ  ３，液晶タッチパネル１１の描画データを格納するＶＲＡＭ  ７，このＶＲＡＭ  ７に接続され液晶タッチパネル１１の描画タイミング制御およびタッチ入力検知等を行う液晶表示コントローラ（ＬＣＤＣ）６，時刻データを発生する時計ＩＣ  ５等がある。ＬＣＤＣ  ６には、ＣＦＬの光源をバックライト９として有する液晶タッチパネル１１が接続される。ＣＰＵ  １には更に、ＣＦＬバックライト９を駆動するインバータ８，操作キー群１５〜２１のキーマトリクス，表示ＬＥＤのＬＥＤマトリクスおよびそれらのＬＥＤを駆動するＬＥＤドライバ等が接続されている。また、ＣＰＵ  １が接続されたデータバスには、画像処理モード記憶用の不揮発ＲＡＭ（ＮＶＲＡＭ）４が接続されている。
【００５１】
操作ボード１０のＣＰＵ  １は、操作ボード１０に対するユーザの操作に対応して、置数キーの押下の読込みと入力数字データの生成，スタートキーの押下の読込みと、スタート指示のコントローラボード４００への転送，用紙サイズの切換え入力の読取りなど、通常の複写機の操作読取りおよび表示出力の制御を行う。
【００５２】
ＲＯＭ２には、ＣＰＵ１の動作プログラムの他に、水平および垂直方向に複数画素でなる画素ブロックの、各画素の発光／非発光を指示するオン／オフ信号の分布と該画素ブロックの表示階調を表現する、それぞれが異なった階調を表現する複数の発光パターンデータでなるパターングループを、格納している。ＲＯＭ２に格納されているパターングループは、操作ボード１０に動作電圧が加わったときの初期化において、ＣＰＵ１が、ＲＡＭ３のメモリ領域に割り付けたパターンレジスタに書込み、その後の階調表示に使用する。表示データ（階調データ）はＶＲＡＭ７に書込まれて、ＬＣＤ１１のラスター表示の同期信号に同期して、ＬＣＤＣ６によってＶＲＡＭ７から読出されてパターンレジスタの画素ブロックデータの読出しアドレスに用いられる。パターンレジスタから読み出された画素ブロックデータは、ＬＣＤ１１のラスター表示の同期信号に合わせて、ＬＣＤＣ６からＬＣＤ１１に出力される。
【００５３】
図５に、カラースキャナ１００が読み取った画像、又は、パソコンＰＣが与えた画像をＨＤＤ４０１に蓄積（登録）する「蓄積」が指定されたときに操作ボード１０の液晶タッチパネル１１に表示される画像データ処理指示画面を示す。該画面には「蓄積」対象の画像と、処理指示入力画面が表示される。
【００５４】
なお、複写機ＭＦ１に接続されたパソコンＰＣには、複写機ＭＦ１を使用するためのソフトすなわち複合機ユーティリティプログラムがロードされており、該ソフトが起動されているときには、複写機ＭＦ１の操作ボード１０の操作盤面が、操作ボード１０の表示状態と共に、パソコンＰＣのディスプレイに表示され、ディスプレイ上の液晶タッチパネル１１領域のみの画像を拡大表示し、更に、蓄積対象画像部のみを拡大表示することができる。パソコンＰＣのディスプレイ上で画像データ処理指示を入力し、「蓄積」対象画像上の領域を指定することができる。パソコンＰＣを、操作ボード１０の代わりに使用することができる。
【００５５】
図２を再度参照すると、ＨＤＤ４０１には、複合機能複写機ＭＦ１の各種機能を実現するプログラム及びデータが格納されており、「コピー」，「読み取り」，「印刷」，「ファクシミリ」，「蓄積」，・・・の機能指定ならびに外部からのアクセス或いは操作に応じて指定機能，応答機能を実現するプログラム及びデータが、ＨＤＤ４０１からシステムメモリ４０９に転送され、ＣＰＵ４０２がメモリ４０９のプログラム及びデータに基づいて各部を制御し、各種機能を実現する。
【００５６】
書画蓄積制御４０３の圧縮／伸張器４０４は、ＡＳＩＣであり、圧縮時には、画像データに基づいて、画像面の単色背景の単色文字画像（Ｃ），単色背景の単色文字領域と異なる文字色数が設定値以下の第１カラー画像領域（Ａ），文字色数が設定値を超える第２カラー画像領域（Ｂ）、および、文字が検出されない第３カラー画像領域（Ｄ）を検出する、異特性画像領域識別プログラム，各領域（Ａ，Ｂ，Ｃ，Ｄ）の画像データを高圧縮する各圧縮プログラム（方式Ａ，Ｂ，Ｃ，Ｄ），各領域の圧縮データを元画像を復元できる形で圧縮データファルイに格納するプログラムすなわち圧縮ファイル生成プログラムを格納し、伸張時には、圧縮ファイルの各領域の圧縮データを伸張する各伸張プログラム，伸張した画像データを元画像を表すように合成するプログラムを格納するためのメモリ，圧縮および伸張の演算機能要素、ならびに、プログラムを実行するＣＰＵ、がある。上記各種プログラムには、圧縮／伸張器４０４とローカルメモリ４０６，システムメモリ４０９との間の、画像データ，圧縮データの転送を行うデータ入出力プログラムが含まれている。これらのプログラムはＨＤＤ４０１にあって、そこから圧縮／伸張器４０４に転送される。
【００５７】
図６に、「読み取り」，「蓄積」又は「登録」において、ＣＰＵ４０２からの指示に応答して圧縮／伸張器４０４（のＣＰＵ）が実行する圧縮処理機能の概要を示す。これは、請求項１，２および３の一実施例に該当する。
【００５８】
「読み取り」，「蓄積」又は「登録」において、原稿を読み取った画像データ，外部のパソコン，サーバ等から通信により送り込まれ「蓄積」又は「登録」が指示された画像データ、をメモリ４０６に格納したとき、ＣＰＵ４０２は操作ボード１０およびパソコンＰＣに、画像データが表す画像と画像処理入力画面を表示する（例えば図５）。
【００５９】
ここで図５に表示した画像を説明する。画像の背景（広い面積部分）は、白地上に大小の文字がある白黒画像であり、そこが「（Ｃ）単色背景上の単色文字」である。該背景領域の右端近く上下方向で中ほどに、小さい、春先の薄緑青葉の森にある白と薄茶色の横縞が縦方向に交互に分布するホテルを写した写真があり、これが、文字がないカラー写真の領域「（Ｄ）写真」（第３カラー画像領域である。背景領域の左端側で上下方向の中央に、料理を移したカラー写真４枚の上方に朱色単色太文字の「セレクト鍋」を冠したカラー画像領域があり、これが写真と少色文字との混合領域「（Ａ）写真＋少色文字」である。そしてこの領域の下方に横長の、「（Ｂ）写真＋多色文字」ブロックがある。該ブロックないには、橙色の「湯舎めぐり誕生」との大文字，楕円形の薄黄色の領域に加えた黒文字文書，白四角領域内の黒文字，黄色外囲いの「旬感スペシャルプラン」，その下の赤字「おとな２，０００円増，こども・・・」，その下の紫色の大小文字，その下の黒小文字、ならびに４枚のカラー写真がある。
【００６０】
ユーザが図５上の「モード（Ｍ）」の欄の「フルカラー」の項の白丸内をチェック（クリック，指定）し（これにより白丸内に黒ドットが現れる）、領域分離圧縮を指定する「フィールド合成保存」の項目先頭の白四角にチェック（チェックマーク）を入れて、更に、自動領域分離を指定する「自動識別」の項目先頭の白四角にチェックを入れて、「保存（Ｘ）」ボタンをクリックすると、ＣＰＵ４０２が、圧縮／伸張器４０４に、表示画像の圧縮を指示する。
【００６１】
この指示に応じて圧縮／伸張器４０４が、図６に示す「（ｂ）背景色識別」を実行する。図６のデータ処理フローの先頭の「（ｂ）背景色識別」でカラー背景と判定した場合には、「（ｃ）絵・文字分離」に進んで、「（ｃ）絵・文字分離」以下のデータ処理を行う。図７には、図６のデータ処理フローの中の、カラー背景と判定した場合に実行するデータ処理フローのみを摘出して示し、図８には、単色背景と判定した場合に実行するデータ処理フローを示した。
【００６２】
（ｂ）背景色識別処理により単色背景すなわち「単色背景上の単色文字（Ｃ）」であると判定すると、圧縮／伸張器４０４は、「（ｑ）カラー領域抽出」によって、カラー画像領域を分離（判別）する。
【００６３】
そして、カラー画像領域と判定されなかった部分（カラー画像領域の背景Ｃ）は、すべて単色の背景画像Ｃとして処理する。すなわち、背景画像は、「（ｔ）２値化」により２値（単色）化するとともに「（ｕ）カラー領域消去」でカラー画像領域の画像を消去する。すなわち、カラー画像領域を背景色（通常は白）に置換する。２値化とカラー領域消去の順番は逆でもかまわない。こうして作成した単色背景画像は、「（ｋ）２値圧縮」で、単色背景の圧縮に割り当てた、単色圧縮に適するＭＭＲ方式（またはＪＢＩＧ，ＪＢＩＧ２方式などでも良い）で圧縮する。これが、「（ｘ）単色背景データ」である。
【００６４】
一方、カラー画像領域は、「（ｃ）絵・文字分離」により、文字のあり／なしを判定する。文字なしと判定した場合は、方式Ｄで圧縮する。すなわち「（ｄ）解像度変換」で１／ｎ（ｎ＞１；実施例ではｎ＝２）に縮小処理した後、「（ｅ）多値圧縮」で、文字なし写真の圧縮に割り当てた、文字なし写真の圧縮に適するＪＰＥＧ方式（またはＪＰＥＧ２０００などでも良い）で圧縮する。これが、「（ｆ）カラー領域画像データ」である。
【００６５】
文字ありのカラー画像領域は、「（ｈ）文字色数判定」により、そのカラー画像領域内の文字に使用されている色が何色あるかを検索する。色数が数色しかなく同じ色が連続している場合、すなわち「（Ａ）写真＋少色文字」の場合は、方式Ａで圧縮する。色数が多い場合、または色の分布が複雑な場合、すなわち「（Ｂ）写真＋多色文字」のばあいは、方式Ｂで圧縮する。
【００６６】
方式Ａは、（Ａ）領域を、図９に示すように、各文字色ごとに別レイヤーに分離しそれぞれを２値圧縮する。方式Ｂは、図９に示すように、背景画像（写真），文字色画像および文字色マスク画像を作成する。文字色数が少ない場合に適用する方式Ａは、方式Ｂよりファイルサイズが小さくなるのが特徴である。逆に色数が多くなるとレイヤー枚数が多くなるためファイルサイズは大きくなる傾向にある。サイズ抑制のためレイヤー数を減らすと、本来の文字色が正しく表現しにくくなる傾向にある。ちなみに前景文字画像を色ごとに分割した複数枚のＭＭＲ画像ではなく、１枚のデフレート（deflate）またはＰＮＧ画像で保持する方法もあるが、ファイルサイズを重視して選択するものとする。
【００６７】
方式Ｂは、これに対して、文字色をフルカラー表現で保持するため、色数の制約は存在しない。したがって、文字色数が多い場合や複雑な色表現の場合に適している。逆に色数が少ない場合は、レイヤー数が１つ多いことからＡ方式よりサイズ増大する傾向にある。
【００６８】
文字ありのカラー画像領域は、次のように圧縮処理する。すなわち、「（ｃ）絵・文字分離」で文字領域を検出する。文字領域の検出は、対象領域を２値化をして黒画分布状態より検知する。ＯＣＲ処理を採用してもよい。文字領域は文字を構成する画素１つづつを指す。１文字を構成する矩形領域ではない。また文字以外にも罫線，図形など単調な色で構成される情報を抽出してもよい。これにより、「（ｇ）前景（文字）画像」と「（ｐ）背景画像」に分離する。
【００６９】
上記「（ｐ）背景画像」に対しては、まず「（ｑ）前景消去」により前景部分を消去する。具体的には文字部分を文字周辺の色で塗りつぶす。つぎに「（ｄ）解像度変換」で解像度をｎ分の１に落とす。この実施例ではｎ＝２である。これは、サイズ抑制のためであり、写真部分は解像度を落としてもそれほど見た目に影響を与えない。ここで、画質に悪影響を与えない範囲で平滑化などスムージングを行うとさらなるサイズ抑制が図れる。最後に「（ｅ）多値圧縮」で、写真の圧縮に適したＪＰＥＧまたはＪＰＥＧ２０００などの圧縮を行う。この背景画像処理は、方式Ａ，Ｂともに共通である。
【００７０】
一方、「（ｇ）前景（文字）画像」に対しては、「（ｈ）文字色数判定」で文字部に使用されている色数をカウントする。スキャン画像などでは原稿の文字色は同じでも多くの色が割り当てられていたりするため色クラスタリングを行い使用されている主な色にまとめた後で最終的な色数を判定する。
【００７１】
色数が数色以下の場合は方式Ａの処理を行う（図９を参照）。まず、「（ｉ）減色処理」で文字画像の減色を行うが、すでに「（ｈ）文字色数判定」の色クラスタリング処理により減色すべき色は決まっているので、その色に割り当てなおすだけである。次に「（ｊ）色レイヤー分離」により、色ごとに別の画像を作成する。例えば赤文字の画像と黒文字の画像というように分離する。最後に「（ｋ）２値圧縮」で、文字の圧縮に適したＭＭＲまたはＪＢＩＧ，ＪＢＩＧ２などに圧縮する。文字部の背景画像と合成する場合には、前景（文字）以外の部分は透過し背景画像が表示されるようにする。
【００７２】
前景（文字）の色数が多い場合は、方式Ｂの処理を行う（図９を参照）。「まず（ｍ）文字色抽出」により文字色マスク画像と文字色画像を作成する。文字色マスク画像は、前景（文字）画像をそのまま２値化したものである。文字を黒それ以外を白などで表し後述するマスクとして使用する。これを「（ｋ）２値圧縮」で、２値画像の圧縮に適したＭＭＲまたはＪＢＩＧ，ＪＢＩＧ２などに圧縮し、「（ｎ）文字マスクデータ」を作成する。文字色画像は、前景（文字）の色を表現する画像である。ここでは基本的に色クラスタリングした文字色ではなく元画像の文字色をそのまま抽出することにより、原稿に忠実な色が再現可能となる。ただし、「（ｄ）解像度変換」で１／４程度に解像度変換するため、色クラスタリングした平均色を割り当てたほうが、文字色が均一になり自然に見える場合もある。前景（文字）に相当しない部分は黒または白など圧縮率が高くなるように色を割り当てる。これを「（ｅ）多値圧縮」で、写真の圧縮に適したＪＰＥＧまたはＪＰＥＧ２０００などで圧縮する。この圧縮データが、「（ｏ）文字色データ」である。「（ｒ）背景画像」，「（ｎ）文字マスク画像」および「（ｏ）文字色画像」を合成する場合は、「（ｎ）文字マスク画像」において文字部は「（ｏ）文字色画像」を表示し、文字以外は「（ｒ）背景画像」を透過させる。
【００７３】
最終的には、「（ｔ）カラー領域処理」でカラー画像領域ごとの特性に応じて方式Ａ，Ｂ，Ｄで処理された「（ｕ）カラー画像領域データ」を「（ｘ）単色背景」の上に重ね合わせ配置し、「（ｙ）高圧縮ファイル作成」により、重ね合わせ情報や透過情報を付加して合成し、「（ｚ）高圧縮画像データファイル」を作成する。すなわち、元画像を復元するためのデータを格納したファイルを作成する。このファイルが、ＨＤＤ４０１に蓄積又は登録される。あるいは、外部のパソコン又はサーバに転送される。
【００７４】
図１０に示すように、ユーザが「モード（Ｍ）」の欄の「フルカラー」の項の白丸内をチェックし、領域分離圧縮を指定する「フィールド合成保存」の項目先頭の白四角にチェックを入れて、更に、背景画像の特徴を指定する「基準背景指定」の項目先頭の白四角にチェックを入れて「（Ｃ）単色背景上の単色文字」，「（Ｄ）写真」，「（Ａ）写真＋少色文字」および「（Ｂ）写真＋多色文字」のいずれかにチェックを入れて、「保存（Ｘ）」ボタンをクリックすると、ＣＰＵ４０２が、圧縮／伸張器４０４に、表示画像の圧縮を指示する。
【００７５】
この場合は、請求項７の一実施例であって、圧縮／伸張器４０４は、図１１に示すように、基準背景指定があった画像特性（Ａ，Ｂ，Ｃ又はＤ：例えばＣ）に対応して、該画像特性とは異なる画像特性の各画像領域（Ａ，Ｂ，Ｄ）を検出して、該各画像領域を各画像領域の画像特性に割り付けられた最適な圧縮方式（Ａ，Ｂ，Ｄ）で圧縮し、元画像からこれらの画像領域の画像を消去した画像を、基準背景指定があった画像特性に割り付けられた最適な圧縮方式（Ｃ）で圧縮して、「（ｙ）高圧縮ファイル作成」により、元画像を復元するための「（ｚ）高圧縮画像データファイル」を作成する。
【００７６】
すなわち、基準背景指定が単色背景の単色文字画像（Ｃ）の場合は、元画像を表す画像データから、単色背景の単色文字領域（Ｃ）と異なる、文字色数が設定値以下の第１カラー画像領域（Ａ），文字色数が設定値を超える第２カラー画像領域（Ｂ）および文字が検出されない第３カラー画像領域（Ｄ）を分離し、基準背景指定が第１カラー画像（Ａ）の場合は、元画像を表す画像データから、単色背景の単色文字領域（Ｃ），第２カラー画像領域（Ｂ）および第３カラー画像領域（Ｄ）を分離し、基準背景指定が第２カラー画像（Ｂ）の場合は、元画像を表す画像データから、単色背景の単色文字領域（Ｃ），第１カラー画像領域（Ａ），および第３カラー画像領域（Ｄ）を分離する。これらの分離には、「（ｂ）背景色分離」，「（ｓ）カラー領域抽出」，「（ｃ）絵・文字分離」及び「（ｈ）文字色数判定」を用いる。
【００７７】
そして、第１カラー画像領域（Ａ）は、上述の方式Ａで圧縮する。すなわち、該領域の背景をカラー画像用の圧縮方式で圧縮し文字部を少色文字用の圧縮方式で圧縮して該カラー画像領域の画像を復元するカラー領域圧縮データに編成する。第２カラー画像領域（Ｂ）は、上述の方式Ｂで圧縮する。すなわち、該カラー画像領域の背景をカラー画像用の圧縮方式で圧縮し文字部を文字マスクと文字色に分離して圧縮してカラー領域圧縮データに編成する。第３カラー画像領域（Ｄ）は、方式Ｄで圧縮する。すなわち、該カラー画像領域をカラー画像用の圧縮方式で圧縮してカラー領域圧縮データを生成する。前記単色背景の単色文字領域（Ｃ）は、方式Ｃで圧縮する。すなわち、単色文字画像用の圧縮方式で圧縮する。すべての領域の圧縮を終えると、「（ｙ）高圧縮ファイル作成」により、元画像を復元するための「（ｚ）高圧縮画像データファイル」を作成する。
【実施例２】
【００７８】
第２実施例のハードウエアは、上述の第１実施例と同じであり、ソフトウエアの大部分も上述の第１実施例と同様であるが、第１実施例の「基準背景指定」（図５，図１０）が、図１２に示す「領域指定」に変更されている点が異なる。第２実施例は、請求項４の１実施例である。
【００７９】
第２実施例の「自動識別」の圧縮処理の内容は、図６（図７，図８）に示す第１実施例のものと同じであるので、ここでの説明は省略する。
【００８０】
図１２に示すように、ユーザは「モード（Ｍ）」の欄の「フルカラー」の項の白丸内をチェックし、領域分離圧縮を指定する「フィールド合成保存」の項目先頭の白四角にチェックを入れて、更に、背景画像の特徴を指定する「基準背景指定」の行の、「Ａ」，「Ｂ」，「Ｃ」又は「Ｄ」のいずれかを指定する。すると、「領域指定」欄の中の、基準背景領域に指定があった画像特性（例えばＣ）と同一の画像特性（Ｃ）の項目が、指定不可の灰色影表示に変わる。ユーザは、元画像上の、基準背景領域に指定した画像特性（Ｃ）とは異なる画像特性の画像領域を枠囲いして、「領域指定」欄の中の、そこの画像特性に該当する画像特性（Ａ，Ｂ又はＤ）の項目をチェックして、「指定」ボタンをクリックする。これにより、枠囲いした領域が、チェックした項目（Ａ，Ｂ又はＤ）の画像特性、と指定される。例えば、図１２に示す元画像に対して、基準背景領域を「（Ｃ）単色背景上の単色文字」と指定すると、ユーザは例えば、図１２に示す元画像上に点線枠で示す領域（Ａ）を枠囲いして、「領域指定」欄の「（Ａ）写真＋少色文字」をチェックして「指定ボタン」をクリックすることにより、第１カラー画像領域Ａを指定し、領域（Ｂ）を枠囲いして、「領域指定」欄の「（Ｂ）写真＋多色文字」をチェックして「指定ボタン」をクリックすることにより、第２カラー画像領域Ｂを指定し、領域（Ｄ）を枠囲いして、「領域指定」欄の「（Ｄ）写真」をチェックして「指定ボタン」をクリックすることにより、第３カラー画像領域Ｄを指定する。
【００８１】
そして「保存（Ｘ）」ボタンをクリックすると、ＣＰＵ４０２が、圧縮／伸張器４０４に、表示画像の圧縮を指示する。
【００８２】
圧縮／伸張器４０４は、図１３に示すように、枠囲いでユーザが指定した領域（例えばＡ，Ｂ，Ｄ）を、ユーザ指定の画像特性（Ａ，Ｂ，Ｄ）に割り当てられている最適な圧縮方式（Ａ，Ｂ，Ｄ）で圧縮する。元画像上の、上記ユーザが指定した領域の画像を消去し多画像を、基準背景指定があった画像特性（Ｃ）に割り当てられている最適な圧縮方式（Ｃ）で圧縮して、「（ｙ）高圧縮ファイル作成」により、元画像を復元するための「（ｚ）高圧縮画像データファイル」を作成する。方式Ａ，Ｂ，Ｃ，Ｄの圧縮処理の内容は、上述の第１実施例のもとの同じである。
【実施例３】
【００８３】
第３実施例のハードウエアは、上述の第１実施例と同じであり、ソフトウエアの大部分も上述の第１実施例と同様であるが、図１４に示すように、「モード（Ｍ）」の欄が簡素化されている。第３実施例は、請求項５および６の１実施例であって、ユーザー操作により、カラー表現を継続すべきカラー画像領域を指定するものである。前述の「自動識別」では、原稿の色分布を見て処理方式を切り替えることになるため、単純に色分布だけをみてカラーかモノクロかを切り替えることになる。しかし、情報を相手先に伝える場合にカラー部分が必ずしもカラーで伝達しなければならないという条件だけではない。写真部分のみカラーで文字情報はモノクロでも十分という場合も多い。このような条件では「自動識別」よりきわめて効率よくファイルサイズを抑制できるため実用的である。第３実施例は、ユーザーが自分の意思でカラー表現のまま残す領域を選択させる方式を採用した。
【００８４】
図１５に、第３実施例の圧縮／伸張器４０４の画像データ処理フローを示す。図１４に示すように、ユーザが「モード（Ｍ）」の欄の「フルカラー」の項の白丸内をチェックし、領域分離圧縮を指定する「フィールド合成保存」の項目先頭の白四角にチェックを入れると、圧縮／伸張器４０４は、元画像の全体をモノクロで表示する。ユーザは、どうしてもカラーで伝達しなければならない部分を判断し、マウスドラッグによりカラー画像領域（例えばＤ１）を指定し、そして「保存／次へ（Ｓ）」ボタンをクリックする。これにより、指定された画像領域が元画像（カラー）のカラー画像に切り換えられる。そして最後のカラー画像領域（Ｄ２）指定し、そして「保存／終了（Ｘ）」ボタンをクリックする。これらの入力情報が与えられると、圧縮／伸張器４０４は、元画像（カラー）の、ユーザが指定した各カラー画像領域が、画像特性「（Ａ）写真＋少色文字」，「（Ｂ）写真＋多色文字」および「（Ｄ）写真」のいずれであるかを判定して、判定した画像特性に割り当てられた最適な方式（Ａ，Ｂ又はＤ）で、カラー画像領域の画像データを圧縮する。これをユーザが領域を指定したカラー画像領域のそれぞれに対して実行する。そして、元画像（モノクロ）からユーザが指定した領域（カラー画像領域）の画像を消去（白に変更）した画像を、方式Ｃの「（ｋ）２値圧縮」により圧縮して、「（ｙ）高圧縮ファイル作成」により、元画像を復元するための「（ｚ）高圧縮画像データファイル」を作成する。カラー画像領域がＡ，Ｂ，Ｄのいずれであるかの判定、ならびに、方式Ａ，Ｂ，Ｃ，Ｄの圧縮処理の内容は、上述の第１実施例のもとの同じである。
【００８５】
図１６には、ユーザがカラー画像領域Ｄ１を領域指定して、カラー画像として残すのはＤ１のみとするために、「保存／終了（Ｘ）」ボタンをクリックした場合の、表示画像の変遷を示す。
【００８６】
なお、上記第１〜３実施例のいずれにおいても、圧縮／伸張器４０４は、それが生成した高圧縮画像データファイルのデータに基づいて元画像を復元する伸張機能がある。ユーザが、ＨＤＤ４０２に蓄積又は登録している高圧縮画像データファイルを指定して、あるいは外部のパソコン又はサーバから高圧縮画像データファイルの転送をうけて、該ファイルに対して、「開く」を指示すると、圧縮／伸張器４０４は、該ファイルに圧縮時に生成されて格納されている伸張制御データに基づいて、背景画像圧縮データを背景画像に伸張し、他の画像領域の圧縮画像データを順次に領域画像に伸張して、背景画像上の各画像領域位置に置換挿入する（書込む）。すなわち各領域の圧縮データを伸張して合成して元画像を復元する。すなわち圧縮／伸張器４０４は、高圧縮画像データファイルの単色文字圧縮データを伸張する画像伸張手段，カラー画像領域の圧縮データを画像データに伸張するカラー領域伸張手段、および、伸張した画像データを元画像を表す画像データに合成する画像データ合成手段、を備える。より具体的には、上記第１〜３実施例のそれぞれにおいて、圧縮／伸張器４０４は、圧縮によって生成した圧縮データを、圧縮処理行程の逆行程で伸張して元画像を復元する機能手段を含む。
【００８７】
復元した元画像は、「印刷」を指定してプリンタ２００でプリントアウトできる。ユーザが、元画像が復元されてディスプレイ１１，ＰＣに表示されているときに「印刷」を指定して印刷条件を入力してスタートキーを押すと、元画像データがプリンタ画像処理３０４に与えられてそこでプリンタ２００の作像特性に合う記録用画像データに変換されて、プリンタ２００に与えられる。プリンタ２００が、該記録用画像データが現す画像を用紙上に形成する。
【図面の簡単な説明】
【００８８】
【図１】本発明の第１実施例の画像形成装置である複合機能複写機ＭＦ１の外観を示す正面図である。
【図２】図１に示す複写機ＭＦ１の画像データ処理系統の構成を示すブロック図である。
【図３】図２に示す操作ボード１０の一部分の拡大平面図である。
【図４】図３に示す操作ボードの情報入出力系統の構成を示すブロック図である。
【図５】図３に示す液晶タッチパネル１１の表示画像の一例を示す拡大平面図である。
【図６】図２に示す第１実施例の圧縮／伸張器４０４が実行する圧縮処理機能と、処理順を示すフローチャートである。
【図７】図６の処理フローの中の、背景色をカラーと判定した場合の処理フローのみを摘出して示すフローチャートである。
【図８】図６の処理フローの中の、背景色を単色と判定した場合の処理フローのみを摘出して示すフローチャートである。
【図９】元画像と、該元画像上のカラー画像領域を画像特性に応じて更に分離した画像を示す平面図である。
【図１０】第１実施例において液晶タッチパネル１１に表示される指示入力画面のもう１つの態様と一例の元画像とを示す平面図である。
【図１１】図１０に示す指示入力画面の指示状態で第１実施例の圧縮／伸張器４０４が実行する圧縮処理のデータ処理順を示すフローチャートである。
【図１２】第２実施例において液晶タッチパネル１１に表示される指示入力画面の一態様と一例の元画像とを示す平面図である。
【図１３】第２実施例の圧縮／伸張器４０４が実行する圧縮処理の概要を示すフローチャートである。
【図１４】第３実施例において液晶タッチパネル１１に表示される指示入力画面の一態様と一例の元画像とを示す平面図である。
【図１５】第３実施例の圧縮／伸張器４０４が実行する圧縮処理の概要を示すフローチャートである。
【図１６】第３実施例において、ユーザがカラー画像領域Ｄ１を領域指定して、カラー画像として残すのはＤ１のみとするために、「保存／終了（Ｘ）」ボタンをクリックした場合の、表示画像の変遷を示す平面図である。
【符号の説明】
【００８９】
ＰＣ：パソコン
４０１：ＨＤＤ
１１：液晶タッチパネル
【図１】
2008288912.tif 000003
【図２】
2008288912.tif 000004
【図３】
2008288912.tif 000005
【図４】
2008288912.tif 000006
【図５】
2008288912.tif 000007
【図６】
2008288912.tif 000008
【図７】
2008288912.tif 000009
【図８】
2008288912.tif 000010
【図９】
2008288912.tif 000011
【図１０】
2008288912.tif 000012
【図１１】
2008288912.tif 000013
【図１２】
2008288912.tif 000014
【図１３】
2008288912.tif 000015
【図１４】
2008288912.tif 000016
【図１５】
2008288912.tif 000017
【図１６】
2008288912.tif 000018